(57)【要約】      （修正有）【課題】子供から老人まで組立できる、組立式のテッシュペーパーの収納箱で、機関車形状のテッシュペーパー収納箱を１度製作すれば、壊れるまで、予備の箱無しテッシュペーパーを補給できる、機関車型テッシュペーパー組立収納箱を提供する。【解決手段】テッシュペーパーの箱は全て厚紙をプレス機で型で打抜き、その打抜いた厚紙を組み立てると機関車の形状になるように構成する、その機関車形状の内部底部にヘノ字型に折った上げ底５の厚紙を前部煙突側７の下に挿入し、その上げ底の上にテッシュペーパーの束６をヘノ字形に置き、テッシュペーパーが取りだし易い様な構成にし、前部煙突からテッシュペーパーを１枚づつ取出す構造にする。テッシュペーパーを使い終わると、機関車の前部の蓋を上に開けて、市販の箱無しのテッシュペーパーを挿入する構造とする。【選択図】図８
0003147625.tif 000002
【実用新案登録請求の範囲】
【請求項１】
機関車形状にし、組立式を特徴とする機関車型組立式テッシュペーパー収納箱。
【請求項２】
機関車形状の煙突からテッシュペーパーが取出せることを特徴とする請求項１記載の機関車形状の機関車型組立式テッシュペーパー収納箱。
【請求項３】
機関車形状の内部ヘノ字の上げ底にテッシュペーパーをヘノ字に置く請求項１〜２記載の機関車型組立式テッシュペーパー収納箱。
【請求項４】
組立式の機関車形状の収納箱で、テッシュペーパーを補給できる事を特徴とする請求項１〜３に記載の機関車型組立式テッシュペーパー収納箱。
【請求項５】
組立式の機関車形状のテッシュペーパー収納箱で、厚紙、樹脂、板金等でも製造可能な請求項１〜４記載の機関車型組立式テッシュペーパー収納箱。
【考案の詳細な説明】
【技術分野】
【０００１】  本考案は、子供から老人まで組立できる、組立式のテッシュペーパーの収納箱に関する。
【背景技術】
【０００２】  従来は、この種の収納箱は、通常、厚紙で長方体に作られており、箱本体の上面にテッシュペーパーの引き出し口を設けてあり、その出入口が開口自在に形成され、箱本体の内部にテッシュペーパーが挿入され使用する。テッシュペーパーが使い終わると、箱本体の厚紙は細かく引き裂かれゴミとなり焼却される、又各家庭では各部屋ごとに１ケは置いてあるため、１家族には相当数のテッシュペーパー入りの箱があるのが現状である。次のような組立式のテッシュペーパーがある。
【特許文献１】実用新案登録第３１１５８９６号公報
【特許文献１】特開２００１−０８８８７６号公報
【考案の開示】
【考案が解決しようとする課題】
【０００３】  それには次のような問題点があった。
従来は、テッシュペーパーが全て引出され、箱が空になると、箱本体はそのままで何ら利用価値がなく、したがって従来品ではテッシュペーパーを使い切ると、箱本体をつぶしてそのままゴミ箱に破棄されるのが通例であり、箱の大量消費は資源の無駄使いとなり、地球環境、エコ等の問題を考えると課題が多い。
本考案は、このような問題点を解決するためになされたものである。
【課題を解決するための手段】
【０００４】  本考案は、テッシュペーパーの箱は全て厚紙をプレス機により型で打抜き、その打抜いた厚紙を組み立てると機関車の形状になるように、接着剤、粘着テープ、ホチキス等を使用して、壊れないような構造に製作する。その機関車形状の内部底部にヘノ字型に折った上げ底の厚紙を前部煙突側の下に挿入し、その上げ底の上にテッシュペーパーの束をヘノ字形に置き、テッシュペーパーが取りだし易い様な構成にし、前部煙突からテッシュペーパーを１枚づつ取出す構造にする。テッシュペーパーを使い終わると、機関車の前部の蓋を上に開けて、市販の箱無しのテッシュペーパーを挿入する構造にして、箱を使用しない機関車形状のテッシュペーパー収容箱で、その中にテッシュペーパーを補給できる、そして子供から老人まで、機関車形状のテッシュペーパー箱を組み立てる楽しさと環境問題に配慮したエコ商品を考えた。
【考案の効果】
【０００５】  本考案は、子供から大人、老人まで組み立て出来、工作の楽しさ、部屋の飾り物として、機関車形状のテッシュペーパー収納箱で、１度製作すれば、壊れるまで、テッシュペーパーを補給でき、環境問題、エコ商品として、地球の資源の節約の効果が期待できる。
【考案を実施するための最良の形態】
【０００６】  以下、本考案の実施の形態を説明する。
本考案は、機関車形状のテッシュペーパーの箱本体２は全て厚紙をプレス機により型で打抜き、その打抜いた厚紙を組み立てると機関車の形状になるように構成する、その機関車形状テッシュペーパー本体２の上部に開閉できる蓋３を設け、内部底部４にヘノ字型に折った上げ底５を前部煙突側に立ちあがり側を前に向けて挿入して、その上げ底５の上にテッシュペーパーの束６をヘノ字形に置き、テッシュペーパーが取りだし易い様な構造にし、前部煙突部取り出し部７からテッシュペーパーを１枚づつ取出す構造にする。
本考案は、以上の構成よりなっている。
【図面の簡単な説明】
【０００７】
【図１】本考案の機関車形状のテッシュペーパー組立収納箱の各種の展開図。
【図２】本考案の機関車形状の正面図。
【図３】本考案の機関車形状の平面図。
【図４】本考案の機関車形状の右側面図。
【図５】本考案の機関車形状の左則面図。
【図６】本考案のヘノ字形の上げ底部の正面図。
【図７】本考案のヘノ字形の上げ底部の平面図。
【図８】本考案の機関車形状のＡ−Ａ  断面図。
【図９】本考案の機関車の上部の蓋を開いた図。
【図１０】本考案の正面代行写真。
【図１１】本考案の代行写真１．
【図１２】本考案の代行写真２
【図１３】本考案の代行写真３
【符号の説明】
【０００８】  １  機関車形状の型抜きした展開図
２  機関車形状のテッシュペーパー収納箱
３  蓋
４  底部
５  ヘノ字形の上げ底
６  テッシュペーパーの束
７  煙突取り出し部
【図１】
0003147625.tif 000003
【図２】
0003147625.tif 000004
【図３】
0003147625.tif 000005
【図４】
0003147625.tif 000006
【図５】
0003147625.tif 000007
【図６】
0003147625.tif 000008
【図７】
0003147625.tif 000009
【図８】
0003147625.tif 000010
【図９】
0003147625.tif 000011
【図１０】
0003147625.tif 000012
【図１１】
0003147625.tif 000013
【図１２】
0003147625.tif 000014
【図１３】
0003147625.tif 000015
【手続補正書】
【提出日】平成20年10月2日(2008.10.2)
【手続補正１】
【補正対象書類名】実用新案登録請求の範囲
【補正対象項目名】全文
【補正方法】変更
【補正の内容】
【実用新案登録請求の範囲】
【請求項１】
機関車形状にし、組立式を特徴とする機関車型組立式テッシュペーパー収納箱。
【請求項２】
機関車形状の煙突からテッシュペーパーが取出せることを特徴とする請求項１記載の機関車形状の機関車型組立式テッシュペーパー収納箱。
【請求項３】
機関車形状の内部ヘノ字の上げ底にテッシュペーパーをヘノ字に置く請求項１又は２記載の機関車型組立式テッシュペーパー収納箱。
【請求項４】
組立式の機関車形状の収納箱で、テッシュペーパーを補給できる事を特徴とする請求項１〜３のいずれか１項に記載の機関車型組立式テッシュペーパー収納箱。
【請求項５】
組立式の機関車形状のテッシュペーパー収納箱で、厚紙、樹脂、板金等でも製造可能な請求項１〜４のいずれか１項に記載の機関車型組立式テッシュペーパー収納箱。